【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】
絶縁基材と、
前記絶縁基材の表面に形成されたアンテナコイルと、
前記アンテナコイルに接続されたコンデンサと
を有するアンテナシートであって、
前記コンデンサは、
前記絶縁基材の一方の面に形成されたＭ個（Ｍは２以上の整数）の一方の電極板と、
前記絶縁基材の他方の面に形成され、前記絶縁基材を介して前記Ｍ個の一方の電極板と対向する他方の電極板と
を有し、
前記Ｍ個の一方の電極板は、電極板同士が接続されている
アンテナシート。
【請求項２】
前記Ｍ個の一方の電極板の何れかを削る孔が形成されている
請求項１記載のアンテナシート。
【請求項３】
前記他方の電極板は、電極板同士が接続されたＭ個の他方の電極板を有し、
前記Ｍ個の他方の電極板は、対応する前記Ｍ個の一方の電極板と対向しており、
前記孔は、前記絶縁基材を貫通しており、前記Ｍ個の電極板のうち前記孔が形成された電極板よりも小さい
請求項２記載のアンテナシート。
【請求項４】
前記コンデンサおよび前記アンテナコイルは、共振回路をなしており、
前記孔は、前記コンデンサおよび前記アンテナコイルによる共振周波数が予め設定された周波数となるような大きさを有する
請求項２または３記載のアンテナシート。
【請求項５】
絶縁基材と、
前記絶縁基材の表面に形成されたアンテナコイルと、
前記アンテナコイルに接続されたコンデンサと、
前記アンテナコイルの両端に接続された部材と
を有する非接触式データキャリアであって、
前記コンデンサは、
前記絶縁基材の一方の面に形成されたＭ個（Ｍは２以上の整数）の一方の電極板と、
前記絶縁基材の他方の面に形成され、前記絶縁基材を介して前記Ｍ個の一方の電極板と対向する他方の電極板と
を有し、
前記Ｍ個の一方の電極板は、電極板同士が接続されている
非接触式データキャリア。
【請求項６】
前記Ｍ個の一方の電極板の何れかを削る孔が形成されている
請求項５記載の非接触式データキャリア。
【請求項７】
前記他方の電極板は、電極板同士が接続されたＭ個の他方の電極板を有し、
前記Ｍ個の他方の電極板は、対応する前記Ｍ個の一方の電極板と対向しており、
前記孔は、前記絶縁基材を貫通しており、前記Ｍ個の電極板のうち前記孔が形成された電極板よりも小さい
請求項６記載の非接触式データキャリア。
【請求項８】
前記コンデンサおよび前記アンテナコイルは、共振回路をなしており、
前記孔は、前記コンデンサおよび前記アンテナコイルによる共振周波数が予め設定された周波数となるような大きさを有する
請求項６または７記載の非接触式データキャリア。
【請求項９】
前記部材は、一方の電極端子と他方の電極端子からなる端子対を備えたＩＣチップ、コンデンサまたは導電性部材を有し、
前記一方の電極端子は、前記アンテナコイルの一端に接続されており、
前記他方の電極端子は、前記アンテナコイルの他端に接続されている
請求項５〜８の何れかに記載の非接触式データキャリア。
【請求項１０】
絶縁基材と、
前記絶縁基材の一方の面に形成された第１のアンテナコイルおよび第１のパッドと、
前記絶縁基材の他方の面に形成された第２のアンテナコイルおよび第２のパッドと
を有し、
前記第１のパッドは、前記第１のアンテナコイルの一端に接続されており、
前記第２のパッドは、前記第２のアンテナコイルの一端に接続されており、
前記第１および第２のパッドは、かしめにより互いに接続されており、前記第１のアンテナコイルの他端から前記第２のアンテナコイルの他端までのインダクタンスが予め設定された値になるような位置に、前記かしめが形成されている
アンテナシート。
【請求項１１】
絶縁基材と、
前記絶縁基材の一方の面に形成された第１のアンテナコイルおよび第１のパッドと、
前記絶縁基材の他方の面に形成された第２のアンテナコイルおよび第２のパッドと、
前記第１および第２のアンテナコイルの他端に接続されたコンデンサと
を有し、
前記第１のパッドは、前記第１のアンテナコイルの一端に接続されており、
前記第２のパッドは、前記第２のアンテナコイルの一端に接続されており、
前記第１および第２のパッドは、かしめにより互いに接続されており、
前記第１および第２のアンテナコイルならびに前記コンデンサは、共振回路を構成しており、
前記第１のアンテナコイルの他端から前記第２のアンテナコイルの他端までのインダクタンスと前記コンデンサの静電容量とによる共振周波数が予め設定された周波数となるような位置に、前記かしめが形成されている
アンテナシート。
【請求項１２】
前記コンデンサは、
前記絶縁基材の一方の面に形成され、前記第１のアンテナコイルの他端に接続された一方の電極板と、
前記絶縁基材の他方の面に形成され、前記第２のアンテナコイルの他端に接続され、前記一方の電極板と対向する他方の電極板と
を有する
請求項１１記載のアンテナシート。
【請求項１３】
絶縁基材と、
前記絶縁基材の一方の面に形成された第１のアンテナコイルおよび第１のパッドと、
前記絶縁基材の他方の面に形成された第２のアンテナコイルおよび第２のパッドと、
前記第１および第２のアンテナコイルの他端に接続されたＩＣチップと
を有し、
前記第１のパッドは、前記第１のアンテナコイルの一端に接続されており、
前記第２のパッドは、前記第２のアンテナコイルの一端に接続されており、
前記第１および第２のパッドは、かしめにより互いに接続されており、前記第１のアンテナコイルの他端から前記第２のアンテナコイルの他端までのインダクタンスが予め設定された値になるような位置に、前記かしめが形成されている
非接触式データキャリア。
【請求項１４】
絶縁基材と、
前記絶縁基材の一方の面に形成された第１のアンテナコイルと、
前記絶縁基材の一方の面に形成され、前記第１のアンテナコイルの一端に接続された第１のパッドと、
前記絶縁基材の他方の面に形成された第２のアンテナコイルと、
前記絶縁基材の他方の面に形成され、前記第２のアンテナコイルの一端に接続され、前記第１のパッドと対向する第２のパッドと、
前記第１および第２のアンテナコイルの他端に接続されたコンデンサならびにＩＣチップと
を有し、
前記第１および第２のパッドは、かしめにより互いに接続されており、
前記第１および第２のアンテナコイルならびに前記コンデンサは、共振回路を構成しており、
前記第１のアンテナコイルの他端から前記第２のアンテナコイルの他端までのインダクタンスと前記コンデンサの静電容量とによる共振周波数が予め設定された周波数となるような位置に、前記かしめが形成されている
非接触式データキャリア。
【請求項１５】
前記コンデンサは、
前記絶縁基材の一方の面に形成され、前記第１のアンテナコイルの他端に接続された一方の電極板と、
前記絶縁基材の他方の面に形成され、前記第２のアンテナコイルの他端に接続され、前記一方の電極板と対向する他方の電極板と
を有する
請求項１４記載の非接触式データキャリア。
【請求項１６】
前記ＩＣチップは、一方の電極端子と他方の電極端子からなる端子対を有し、
前記一方の電極端子は、前記第１のアンテナコイルの他端に接続されており、
前記他方の電極端子は、前記第２のアンテナコイルの他端に接続されている
請求項１３〜１５の何れかに記載の非接触式データキャリア。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００２８
【補正方法】削除
【補正の内容】